(57)【要約】【課題】ノイズ源の出力インピーダンスの変動が大きいときであってもノイズ減衰特性のばらつきの少ないフィルタ素子を提供する。【解決手段】信号用帯状導電体と接地用帯状導電体とを帯状絶縁体を介して重ねて巻回したコイル部５と、信号用帯状導電体におけるコイル部５の外周側に位置する端部側に接続されてコイル部５の外周側部位から引き出された入力端子２と、信号用帯状導電体におけるその長さ方向に沿った中心点を中心とする信号用帯状導電体の全長の３分の１の領域内に接続された出力端子３とを備えている。【選択図】図１
2006050576.tif 000002
【特許請求の範囲】
【請求項１】
信号用帯状導電体と接地用帯状導電体とを帯状絶縁体を介して重ねた状態で巻回することによって全体として筒状に形成されたコイル部と、
前記信号用帯状導電体における前記コイル部の外周側に位置する端部側に接続されて当該コイル部の外周側部位から引き出された入力端子と、
前記信号用帯状導電体におけるその長さ方向に沿った中心点を中心とする当該信号用帯状導電体の全長の３分の１の領域内に接続された出力端子とを備えているフィルタ素子。
【請求項２】
前記コイル部は、前記信号用帯状導電体に対して前記接地用帯状導電体が外側になるように巻回されて形成されている請求項１記載のフィルタ素子。
【請求項３】
前記出力端子は、前記コイル部におけるその中心を挟んで前記入力端子の引出し部位とは反対側に位置する部位から引き出されている請求項１または２記載のフィルタ素子。
【請求項４】
前記接地用帯状導電体における前記コイル部の外周側に位置する端部側に接続されると共に前記コイル部の中心を挟んで前記入力端子の引出し部位とは反対側に位置する当該コイル部の外周側部位から引き出された接地用端子を備えている請求項１から３のいずれかに記載のフィルタ素子。
【請求項５】
信号用帯状導電体と接地用帯状導電体とを帯状絶縁体を介して重ねた状態で巻回することによって全体として筒状に形成されたコイル部と、
前記信号用帯状導電体における前記コイル部の内周側に位置する端部側に接続されて当該コイル部の内周側部位から引き出された入力端子と、
前記信号用帯状導電体におけるその長さ方向に沿った中心点を中心とする当該信号用帯状導電体の全長の３分の１の領域内に接続された出力端子とを備えているフィルタ素子。
【請求項６】
前記コイル部は、前記接地用帯状導電体に対して前記信号用帯状導電体が外側になるように巻回されて形成されている請求項５記載のフィルタ素子。
【請求項７】
前記出力端子は、前記コイル部におけるその中心を挟んで前記入力端子の引出し部位とは反対側に位置する部位から引き出されている請求項５または６記載のフィルタ素子。
【請求項８】
前記接地用帯状導電体における前記コイル部の内周側に位置する端部側に接続されると共に当該コイル部の中心を挟んで前記入力端子の引出し部位とは反対側に位置する当該コイル部の内周側部位から引き出された接地用端子を備えている請求項５から７のいずれかに記載のフィルタ素子。
【請求項９】
前記信号用帯状導電体の巻数をｎとしたときに、前記出力端子は、前記信号用帯状導電体におけるほぼｎ／２巻目の部位に接続されている請求項１から８のいずれかに記載のフィルタ素子。
【請求項１０】
前記出力端子は、前記信号用帯状導電体の前記中心点に接続されている請求項１から８のいずれかに記載のフィルタ素子。
【請求項１１】
並設された複数の信号用帯状導電体と接地用帯状導電体とを帯状絶縁体を介して重ねた状態で巻回することによって全体として筒状に形成されたコイル部と、
前記各信号用帯状導電体における前記コイル部の外周側に位置する各端部側にそれぞれ接続されて当該コイル部の外周側部位からそれぞれ引き出された複数の入力端子と、
前記各信号用帯状導電体におけるその長さ方向に沿った中心点を中心とする当該各信号用帯状導電体の全長の３分の１の領域内にそれぞれ接続された複数の出力端子とを備えているフィルタ素子。
【請求項１２】
前記コイル部は、前記各信号用帯状導電体に対して前記接地用帯状導電体が外側になるように巻回されて形成されている請求項１１記載のフィルタ素子。
【請求項１３】
前記各出力端子は、前記コイル部におけるその中心を挟んで前記各入力端子の引出し部位とは反対側に位置する部位からそれぞれ引き出されている請求項１１または１２記載のフィルタ素子。
【請求項１４】
前記接地用帯状導電体における前記コイル部の外周側に位置する端部側に接続されると共に前記コイル部の中心を挟んで前記各入力端子の引出し部位とは反対側に位置する当該コイル部の外周側部位から引き出された接地用端子を備えている請求項１１から１３のいずれかに記載のフィルタ素子。
【請求項１５】
並設された複数の信号用帯状導電体と接地用帯状導電体とを帯状絶縁体を介して重ねた状態で巻回することによって全体として筒状に形成されたコイル部と、
前記各信号用帯状導電体における前記コイル部の内周側に位置する各端部側に接続されて当該コイル部の内周側部位からそれぞれ引き出された複数の入力端子と、
前記各信号用帯状導電体におけるその長さ方向に沿った各中心点を中心とする当該各信号用帯状導電体の全長の３分の１の領域内にそれぞれ接続された複数の出力端子とを備えているフィルタ素子。
【請求項１６】
前記コイル部は、前記接地用帯状導電体に対して前記各信号用帯状導電体が外側になるように巻回されて形成されている請求項１５記載のフィルタ素子。
【請求項１７】
前記各出力端子は、前記コイル部におけるその中心を挟んで前記各入力端子の引出し部位とは反対側に位置する部位からそれぞれ引き出されている請求項１５または１６記載のフィルタ素子。
【請求項１８】
前記接地用帯状導電体における前記コイル部の内周側に位置する端部側に接続されると共に当該コイル部の中心を挟んで前記各入力端子の引出し部位とは反対側に位置する当該コイル部の内周側部位から引き出された接地用端子を備えている請求項１５から１７のいずれかに記載のフィルタ素子。
【請求項１９】
前記各信号用帯状導電体の巻数をｎとしたときに、前記各出力端子は、前記各信号用帯状導電体におけるほぼｎ／２巻目の部位にそれぞれ接続されている請求項１１から１８のいずれかに記載のフィルタ素子。
【請求項２０】
前記各出力端子は、前記各信号用帯状導電体の前記中心点にそれぞれ接続されている請求項１１から１８のいずれかに記載のフィルタ素子。
【請求項２１】
信号用帯状導電体と接地用帯状導電体とを帯状絶縁体を介して重ねた状態で巻回することによって全体として筒状に形成されたコイル部を備え、
前記信号用帯状導電体における前記コイル部の外周側に位置する端部側に入力部位が規定され、
前記信号用帯状導電体におけるその長さ方向に沿った中心点を中心とする当該信号用帯状導電体の全長の３分の１の領域内に出力部位が規定されているフィルタ素子。
【請求項２２】
前記コイル部は、前記信号用帯状導電体に対して前記接地用帯状導電体が外側になるように巻回されて形成されている請求項２１記載のフィルタ素子。
【請求項２３】
前記出力部位は、前記コイル部におけるその中心を挟んで前記入力部位とは反対側に位置する部位に規定されている請求項２１または２２記載のフィルタ素子。
【請求項２４】
前記接地用帯状導電体における前記コイル部の外周側に位置する端部側であって、当該コイル部の中心を挟んで前記入力部位とは反対側に位置する部位に接地部位が規定されている請求項２１から２３のいずれかに記載のフィルタ素子。
【請求項２５】
信号用帯状導電体と接地用帯状導電体とを帯状絶縁体を介して重ねた状態で巻回することによって全体として筒状に形成されたコイル部を備え、
前記信号用帯状導電体における前記コイル部の内周側に位置する端部側に入力部位が規定され、
前記信号用帯状導電体におけるその長さ方向に沿った中心点を中心とする当該信号用帯状導電体の全長の３分の１の領域内に出力部位が規定されているフィルタ素子。
【請求項２６】
前記コイル部は、前記接地用帯状導電体に対して前記信号用帯状導電体が外側になるように巻回されて形成されている請求項２５記載のフィルタ素子。
【請求項２７】
前記出力部位は、前記コイル部におけるその中心を挟んで前記入力部位とは反対側に位置する部位に規定されている請求項２５または２６記載のフィルタ素子。
【請求項２８】
前記接地用帯状導電体における前記コイル部の内周側に位置する端部側であって、当該コイル部の中心を挟んで前記入力部位とは反対側に位置する部位に接地部位が規定されている請求項２５から２７のいずれかに記載のフィルタ素子。
【請求項２９】
前記信号用帯状導電体の巻数をｎとしたときに、前記出力部位は、前記信号用帯状導電体におけるほぼｎ／２巻目の部位に規定されている請求項２１から２８のいずれかに記載のフィルタ素子。
【請求項３０】
前記出力部位は、前記信号用帯状導電体の前記中心点に規定されている請求項２１から２８のいずれかに記載のフィルタ素子。
【請求項３１】
並設された複数の信号用帯状導電体と接地用帯状導電体とを帯状絶縁体を介して重ねた状態で巻回することによって全体として筒状に形成されたコイル部を備え、
前記各信号用帯状導電体における前記コイル部の外周側に位置する各端部側に複数の入力部位がそれぞれ規定され、
前記各信号用帯状導電体におけるその長さ方向に沿った中心点を中心とする当該各信号用帯状導電体の全長の３分の１の領域内に複数の出力部位がそれぞれ規定されているフィルタ素子。
【請求項３２】
前記コイル部は、前記各信号用帯状導電体に対して前記接地用帯状導電体が外側になるように巻回されて形成されている請求項３１記載のフィルタ素子。
【請求項３３】
前記各出力部位は、前記コイル部におけるその中心を挟んで前記各入力部位とは反対側に位置する部位にそれぞれ規定されている請求項３１または３２記載のフィルタ素子。
【請求項３４】
前記接地用帯状導電体における前記コイル部の外周側に位置する端部側であって、当該コイル部の中心を挟んで前記各入力部位とは反対側に位置する部位に接地部位が規定されている請求項３１から３３のいずれかに記載のフィルタ素子。
【請求項３５】
並設された複数の信号用帯状導電体と接地用帯状導電体とを帯状絶縁体を介して重ねた状態で巻回することによって全体として筒状に形成されたコイル部を備え、
前記各信号用帯状導電体における前記コイル部の内周側に位置する各端部側に複数の入力部位が規定され、
前記各信号用帯状導電体におけるその長さ方向に沿った各中心点を中心とする当該各信号用帯状導電体の全長の３分の１の領域内に複数の出力部位が規定されているフィルタ素子。
【請求項３６】
前記コイル部は、前記接地用帯状導電体に対して前記各信号用帯状導電体が外側になるように巻回されて形成されている請求項３５記載のフィルタ素子。
【請求項３７】
前記各出力部位は、前記コイル部におけるその中心を挟んで前記各入力部位とは反対側に位置する部位に規定されている請求項３５または３６記載のフィルタ素子。
【請求項３８】
前記接地用帯状導電体における前記コイル部の内周側に位置する端部側であって、当該コイル部の中心を挟んで前記各入力部位とは反対側に位置する部位に接地部位が規定されている請求項３５から３７のいずれかに記載のフィルタ素子。
【請求項３９】
前記各信号用帯状導電体の巻数をｎとしたときに、前記各出力部位は、前記各信号用帯状導電体におけるほぼｎ／２巻目の部位にそれぞれ規定されている請求項３１から３８のいずれかに記載のフィルタ素子。
【請求項４０】
前記各出力部位は、前記各信号用帯状導電体の前記中心点にそれぞれ規定されている請求項３１から３８のいずれかに記載のフィルタ素子。
【請求項４１】
前記コイル部の中心部に形成された空隙に磁性体が配設されている請求項１から４０のいずれかに記載のフィルタ素子。
【発明の詳細な説明】
【技術分野】
【０００１】
本発明は、帯状絶縁体に帯状導電体を重ねた状態で巻回されて構成されたフィルタ素子に関するものである。
【背景技術】
【０００２】
この種のフィルタ素子として、特許第２８２６３２０号公報において開示されたフィルタ素子が知られている。
【０００３】
上記公報中において比較例として開示されたフィルタ素子（以下、「フィルタ」ともいう）は、円筒状の巻回部と、その一端面に設けられた３本のリード（端子）とを備えて構成されている。この場合、巻回部は、帯状導電体および接地用帯状導電体を２つの誘電体層を介して重ね合わせた積層体を回転巻き軸の回りに複数回巻き回して形成されている。入出力用の第１内側リードは、帯状導電体の内端近傍に接続されている。入出力用の第１外側リードは、帯状導電体の外側近傍に接続されている。さらに、接地用外側リードは、接地用帯状導電体の外端近傍に、第１外側リードから巻き軸を中心として１／２回転ずらして接続されている。
【０００４】
この構成により、このフィルタでは、３本のリード（端子）を確実に一直線上に（インライン）に配置することができる。このため、このフィルタによれば、フィルタの基板への取り付けが簡単になり、しかも外部から加わる物理的ストレスに対して十分に耐え得ることができる。また、各リード間隔を常に一定に形成することができるため、ノイズに対する減衰特性のバラツキを少なくすることが可能となっている。
【特許文献１】特許第２８２６３２０号公報（第３−４頁、第１−２図）
【発明の開示】
【発明が解決しようとする課題】
【０００５】
ところが、この種のフィルタには、以下のような問題点がある。すなわち、この種のフィルタでは、出力インピーダンスの変動が大きな回路（例えばスイッチング電源装置の二次側出力回路）に使用されたときには、ノイズに対する減衰特性が大きくばらつくという問題点が存在する。
【０００６】
本発明は、上記の問題を解決すべくなされたものであり、ノイズ源の出力インピーダンスの変動が大きいときであっても、ノイズに対する減衰特性のばらつきの少ないフィルタ素子を提供することを主目的とする。
【課題を解決するための手段】
【０００７】
上記目的を達成すべく請求項１記載のフィルタ素子は、信号用帯状導電体と接地用帯状導電体とを帯状絶縁体を介して重ねた状態で巻回することによって全体として筒状に形成されたコイル部と、前記信号用帯状導電体における前記コイル部の外周側に位置する端部側に接続されて当該コイル部の外周側部位から引き出された入力端子と、前記信号用帯状導電体におけるその長さ方向に沿った中心点を中心とする当該信号用帯状導電体の全長の３分の１の領域内に接続された出力端子とを備えている。ここで、本発明における「帯状導電体」とは、厚みの薄いシート状の導電体に限らず、ある程度の厚みのある導電体、例えば、断面形状が丸形、楕円、四角形、または台形に形成された可撓性を有する板状の導電体をも含むことを意味する。また、帯状導電体の端部側とは、帯状導電体におけるその端縁から１ターン以内の部位を意味する。
【０００８】
また、請求項２記載のフィルタ素子は、請求項１記載のフィルタ素子において、前記信号用帯状導電体に対して前記接地用帯状導電体が外側になるように巻回して前記コイル部が形成されている。
【０００９】
また、請求項３記載のフィルタ素子は、請求項１または２記載のフィルタ素子において、前記コイル部におけるその中心を挟んで前記入力端子の引出し部位とは反対側に位置する部位から前記出力端子が引き出されている。
【００１０】
また、請求項４記載のフィルタ素子は、請求項１から３のいずれかに記載のフィルタ素子において、前記接地用帯状導電体における前記コイル部の外周側に位置する端部側に接続されると共に前記コイル部の中心を挟んで前記入力端子の引出し部位とは反対側に位置する当該コイル部の外周側部位から引き出された接地用端子を備えている。
【００１１】
また、請求項５記載のフィルタ素子は、信号用帯状導電体と接地用帯状導電体とを帯状絶縁体を介して重ねた状態で巻回することによって全体として筒状に形成されたコイル部と、前記信号用帯状導電体における前記コイル部の内周側に位置する端部側に接続されて当該コイル部の内周側部位から引き出された入力端子と、前記信号用帯状導電体におけるその長さ方向に沿った中心点を中心とする当該信号用帯状導電体の全長の３分の１の領域内に接続された出力端子とを備えている。
【００１２】
また、請求項６記載のフィルタ素子は、請求項５記載のフィルタ素子において、前記接地用帯状導電体に対して前記信号用帯状導電体が外側になるように巻回されて前記コイル部が形成されている。
【００１３】
また、請求項７記載のフィルタ素子は、請求項５または６記載のフィルタ素子において、前記コイル部におけるその中心を挟んで前記入力端子の引出し部位とは反対側に位置する部位から前記出力端子が引き出されている。
【００１４】
また、請求項８記載のフィルタ素子は、請求項５から７のいずれかに記載のフィルタ素子において、前記接地用帯状導電体における前記コイル部の内周側に位置する端部側に接続されると共に当該コイル部の中心を挟んで前記入力端子の引出し部位とは反対側に位置する当該コイル部の内周側部位から引き出された接地用端子を備えている。
【００１５】
また、請求項９記載のフィルタ素子は、請求項１から８のいずれかに記載のフィルタ素子において、前記信号用帯状導電体の巻数をｎとしたときに、前記出力端子は、前記信号用帯状導電体におけるほぼｎ／２巻目の部位に接続されている。
【００１６】
また、請求項１０記載のフィルタ素子は、請求項１から８のいずれかに記載のフィルタ素子において、前記出力端子は、前記信号用帯状導電体の前記中心点に接続されている。
【００１７】
また、請求項１１記載のフィルタ素子は、並設された複数の信号用帯状導電体と接地用帯状導電体とを帯状絶縁体を介して重ねた状態で巻回することによって全体として筒状に形成されたコイル部と、前記各信号用帯状導電体における前記コイル部の外周側に位置する各端部側にそれぞれ接続されて当該コイル部の外周側部位からそれぞれ引き出された複数の入力端子と、前記各信号用帯状導電体におけるその長さ方向に沿った中心点を中心とする当該各信号用帯状導電体の全長の３分の１の領域内にそれぞれ接続された複数の出力端子とを備えている。
【００１８】
また、請求項１２記載のフィルタ素子は、請求項１１記載のフィルタ素子において、前記各信号用帯状導電体に対して前記接地用帯状導電体が外側になるように巻回されて前記コイル部が形成されている。
【００１９】
また、請求項１３記載のフィルタ素子は、請求項１１または１２記載のフィルタ素子において、前記コイル部におけるその中心を挟んで前記各入力端子の引出し部位とは反対側に位置する部位から前記各出力端子がそれぞれ引き出されている。
【００２０】
また、請求項１４記載のフィルタ素子は、請求項１１から１３のいずれかに記載のフィルタ素子において、前記接地用帯状導電体における前記コイル部の外周側に位置する端部側に接続されると共に前記コイル部の中心を挟んで前記各入力端子の引出し部位とは反対側に位置する当該コイル部の外周側部位から引き出された接地用端子を備えている。
【００２１】
また、請求項１５記載のフィルタ素子は、並設された複数の信号用帯状導電体と接地用帯状導電体とを帯状絶縁体を介して重ねた状態で巻回することによって全体として筒状に形成されたコイル部と、前記各信号用帯状導電体における前記コイル部の内周側に位置する各端部側に接続されて当該コイル部の内周側部位からそれぞれ引き出された複数の入力端子と、前記各信号用帯状導電体におけるその長さ方向に沿った各中心点を中心とする当該各信号用帯状導電体の全長の３分の１の領域内にそれぞれ接続された複数の出力端子とを備えている。
【００２２】
また、請求項１６記載のフィルタ素子は、請求項１５記載のフィルタ素子において、前記接地用帯状導電体に対して前記各信号用帯状導電体が外側になるように巻回されて前記コイル部が形成されている。
【００２３】
また、請求項１７記載のフィルタ素子は、請求項１５または１６記載のフィルタ素子において、前記コイル部におけるその中心を挟んで前記各入力端子の引出し部位とは反対側に位置する部位から前記各出力端子がそれぞれ引き出されている。
【００２４】
また、請求項１８記載のフィルタ素子は、請求項１５から１７のいずれかに記載のフィルタ素子において、前記接地用帯状導電体における前記コイル部の内周側に位置する端部側に接続されると共に当該コイル部の中心を挟んで前記各入力端子の引出し部位とは反対側に位置する当該コイル部の内周側部位から引き出された接地用端子を備えている。
【００２５】
また、請求項１９記載のフィルタ素子は、請求項１１から１８のいずれかに記載のフィルタ素子において、前記各信号用帯状導電体の巻数をｎとしたときに、前記各出力端子は、前記各信号用帯状導電体におけるほぼｎ／２巻目の部位にそれぞれ接続されている。
【００２６】
また、請求項２０記載のフィルタ素子は、請求項１１から１８のいずれかに記載のフィルタ素子において、前記各出力端子は、前記各信号用帯状導電体の前記中心点にそれぞれ接続されている。
【００２７】
また、請求項２１記載のフィルタ素子は、信号用帯状導電体と接地用帯状導電体とを帯状絶縁体を介して重ねた状態で巻回することによって全体として筒状に形成されたコイル部を備え、前記信号用帯状導電体における前記コイル部の外周側に位置する端部側に入力部位が規定され、前記信号用帯状導電体におけるその長さ方向に沿った中心点を中心とする当該信号用帯状導電体の全長の３分の１の領域内に出力部位が規定されている。
【００２８】
また、請求項２２記載のフィルタ素子は、請求項２１記載のフィルタ素子において、前記コイル部は、前記信号用帯状導電体に対して前記接地用帯状導電体が外側になるように巻回されて形成されている。
【００２９】
また、請求項２３のフィルタ素子は、請求項２１または２２記載のフィルタ素子において、前記出力部位は、前記コイル部におけるその中心を挟んで前記入力部位とは反対側に位置する部位に規定されている。
【００３０】
また、請求項２４のフィルタ素子は、請求項２１から２３のいずれかに記載のフィルタ素子において、前記接地用帯状導電体における前記コイル部の外周側に位置する端部側であって、当該コイル部の中心を挟んで前記入力部位とは反対側に位置する部位に接地部位が規定されている。
【００３１】
また、請求項２５のフィルタ素子は、信号用帯状導電体と接地用帯状導電体とを帯状絶縁体を介して重ねた状態で巻回することによって全体として筒状に形成されたコイル部を備え、前記信号用帯状導電体における前記コイル部の内周側に位置する端部側に入力部位が規定され、前記信号用帯状導電体におけるその長さ方向に沿った中心点を中心とする当該信号用帯状導電体の全長の３分の１の領域内に出力部位が規定されている。
【００３２】
また、請求項２６のフィルタ素子は、請求項２５記載のフィルタ素子において、前記コイル部は、前記接地用帯状導電体に対して前記信号用帯状導電体が外側になるように巻回されて形成されている。
【００３３】
また、請求項２７のフィルタ素子は、請求項２５または２６記載のフィルタ素子において、前記出力部位は、前記コイル部におけるその中心を挟んで前記入力部位とは反対側に位置する部位に規定されている。
【００３４】
また、請求項２８のフィルタ素子は、請求項２５から２７のいずれかに記載のフィルタ素子において、前記接地用帯状導電体における前記コイル部の内周側に位置する端部側であって、当該コイル部の中心を挟んで前記入力部位とは反対側に位置する部位に接地部位が規定されている。
【００３５】
また、請求項２９のフィルタ素子は、請求項２１から２８のいずれかに記載のフィルタ素子において、前記信号用帯状導電体の巻数をｎとしたときに、前記出力部位は、前記信号用帯状導電体におけるほぼｎ／２巻目の部位に規定されている。
【００３６】
また、請求項３０のフィルタ素子は、請求項２１から２８のいずれかに記載のフィルタ素子において、前記出力部位は、前記信号用帯状導電体の前記中心点に規定されている。
【００３７】
また、請求項３１のフィルタ素子は、並設された複数の信号用帯状導電体と接地用帯状導電体とを帯状絶縁体を介して重ねた状態で巻回することによって全体として筒状に形成されたコイル部を備え、前記各信号用帯状導電体における前記コイル部の外周側に位置する各端部側に複数の入力部位がそれぞれ規定され、前記各信号用帯状導電体におけるその長さ方向に沿った中心点を中心とする当該各信号用帯状導電体の全長の３分の１の領域内に複数の出力部位がそれぞれ規定されている。
【００３８】
また、請求項３２のフィルタ素子は、請求項３１記載のフィルタ素子において、前記コイル部は、前記各信号用帯状導電体に対して前記接地用帯状導電体が外側になるように巻回されて形成されている。
【００３９】
また、請求項３３のフィルタ素子は、請求項３１または３２記載のフィルタ素子において、前記各出力部位は、前記コイル部におけるその中心を挟んで前記各入力部位とは反対側に位置する部位にそれぞれ規定されているフィルタ素子。
【００４０】
また、請求項３４のフィルタ素子は、請求項３１から３３のいずれかに記載のフィルタ素子において、前記接地用帯状導電体における前記コイル部の外周側に位置する端部側であって、当該コイル部の中心を挟んで前記各入力部位とは反対側に位置する部位に接地部位が規定されている。
【００４１】
また、請求項３５のフィルタ素子は、並設された複数の信号用帯状導電体と接地用帯状導電体とを帯状絶縁体を介して重ねた状態で巻回することによって全体として筒状に形成されたコイル部を備え、前記各信号用帯状導電体における前記コイル部の内周側に位置する各端部側に複数の入力部位が規定され、前記各信号用帯状導電体におけるその長さ方向に沿った各中心点を中心とする当該各信号用帯状導電体の全長の３分の１の領域内に複数の出力部位が規定されているフィルタ素子。
【００４２】
また、請求項３６のフィルタ素子は、請求項３５記載のフィルタ素子において、前記コイル部は、前記接地用帯状導電体に対して前記各信号用帯状導電体が外側になるように巻回されて形成されている。
【００４３】
また、請求項３７のフィルタ素子は、請求項３５または３６記載のフィルタ素子において、前記各出力部位は、前記コイル部におけるその中心を挟んで前記各入力部位とは反対側に位置する部位に規定されている。
【００４４】
また、請求項３８のフィルタ素子は、請求項３５から３７のいずれかに記載のフィルタ素子において、前記接地用帯状導電体における前記コイル部の内周側に位置する端部側であって、当該コイル部の中心を挟んで前記各入力部位とは反対側に位置する部位に接地部位が規定されている。
【００４５】
また、請求項３９のフィルタ素子は、請求項３１から３８のいずれかに記載のフィルタ素子において、前記各信号用帯状導電体の巻数をｎとしたときに、前記各出力部位は、前記各信号用帯状導電体におけるほぼｎ／２巻目の部位にそれぞれ規定されている。
【００４６】
また、請求項４０のフィルタ素子は、請求項３１から３８のいずれかに記載のフィルタ素子において、前記各出力部位は、前記各信号用帯状導電体の前記中心点にそれぞれ規定されている。
【００４７】
また、請求項４１記載のフィルタ素子は、請求項１から４０のいずれかに記載のフィルタ素子において、前記コイル部の中心部に形成された空隙に磁性体が配設されている。
【発明の効果】
【００４８】
請求項１および２１記載のフィルタ素子によれば、信号用帯状導電体と接地用帯状導電体とを帯状絶縁体を介して重ねた状態で巻回することによって全体として筒状に形成されたコイル部を備え、信号用帯状導電体におけるコイル部の外周側に位置する端部側に入力端子を接続するための入力部位を規定し、信号用帯状導電体におけるその長さ方向に沿った中心点を中心とする信号用帯状導電体の全長の３分の１の領域内に出力端子を接続するための出力部位を規定したことにより、出力端子（出力部位）よりも内周側に、接地用帯状導電体との間に帯状絶縁体を介在させた状態で信号用帯状導電体を配設することができる。このため、信号用帯状導電体における出力部位よりも内周側の部位を一方の電極とし、かつこの内周側の部位に対向する接地用帯状導電体における部位を他方の電極とするコンデンサを、出力端子（出力部位）と接地との間に形成することができる。したがって、フィルタ素子によれば、このコンデンサを介して出力端子（出力部位）から接地側にノーマルモードノイズをバイパスさせることができる結果、出力インピーダンスの変動が大きなノイズ源の出力フィルタに使用したとしても、ノイズに対する減衰特性のばらつきの少ないノーマルモード用のフィルタ素子を実現することができる。
【００４９】
この場合、ノイズ減衰特性を優れたものにするためには、コイル部は、信号用帯状導電体に対して接地用帯状導電体が外側になるように巻回されて形成されているのが好ましく、また、出力端子（出力部位）は、コイル部におけるその中心を挟んで入力端子（入力部位）とは反対側に位置しているのが好ましく、さらに、接地用帯状導電体におけるコイル部の外周側に位置する端部側であって、コイル部の中心を挟んで入力端子（入力部位）とは反対側に位置する部位に接地用端子を接続するための接地部位が規定されているのが好ましい。
【００５０】
また、請求項５および２５記載のフィルタ素子によれば、信号用帯状導電体と接地用帯状導電体とを帯状絶縁体を介して重ねた状態で巻回することによって全体として筒状に形成されたコイル部を備え、信号用帯状導電体におけるコイル部の内周側に位置する端部側に入力端子を接続するための入力部位を規定し、信号用帯状導電体におけるその長さ方向に沿った中心点を中心とする信号用帯状導電体の全長の３分の１の領域内に出力端子を接続するための出力部位を規定したことにより、出力端子（出力部位）よりも外周側に、接地用帯状導電体との間に帯状絶縁体を介在させた状態で信号用帯状導電体を配設することができる。このため、信号用帯状導電体における出力部位よりも外周側の部位を一方の電極とし、かつこの外周側の部位に対向する接地用帯状導電体における部位を他方の電極とするコンデンサを、出力端子（出力部位）と接地との間に形成することができる。したがって、フィルタ素子によれば、このコンデンサを介して出力端子（出力部位）から接地側にノーマルモードノイズをバイパスさせることができる結果、出力インピーダンスの変動が大きなノイズ源の出力フィルタに使用したとしても、ノイズに対する減衰特性のばらつきの少ないノーマルモード用のフィルタ素子を実現することができる。
【００５１】
この場合、ノイズ減衰特性を優れたものにするためには、コイル部は、接地用帯状導電体に対して信号用帯状導電体が外側になるように巻回されて形成されているのが好ましく、また、出力端子（出力部位）は、コイル部におけるその中心を挟んで入力端子（入力部位）とは反対側に位置しているのが好ましく、さらに、接地用帯状導電体におけるコイル部の内周側に位置する端部側であって、コイル部の中心を挟んで入力端子（入力部位）とは反対側に位置する部位に接地用端子を接続するための接地部位が規定されているのが好ましい。
【００５２】
また、請求項９および２９記載のフィルタ素子によれば、信号用帯状導電体の巻数をｎとしたときに、信号用帯状導電体におけるほぼｎ／２巻目の部位を出力部位として規定したことにより、信号用帯状導電体についての巻数の確保と、上記のコンデンサについての容量の確保とをバランスよく実現することができる結果、ノイズに対する減衰特性のばらつきのさらに少ないノーマルモード用のフィルタ素子を実現することができる。また、コイル部の製造時において、信号用帯状導電体の巻数を目安に出力端子を信号用帯状導電体に接続することができるため、出力端子を所望の位置に確実に接続することができる。
【００５３】
また、請求項１０および３０記載のフィルタ素子によれば、信号用帯状導電体の中心点に出力端子を接続するための出力部位を規定したことにより、信号用帯状導電体についての巻数の確保と、上記のコンデンサについての容量の確保とをバランスよく実現することができる結果、ノイズに対する減衰特性のばらつきのさらに少ないノーマルモード用のフィルタ素子を実現することができる。
【００５４】
また、請求項１１および３１記載のフィルタ素子によれば、並設された複数の信号用帯状導電体と接地用帯状導電体とを帯状絶縁体を介して重ねた状態で巻回することによって全体として筒状に形成されたコイル部を備え、各信号用帯状導電体におけるコイル部の外周側に位置する各端部側に入力端子を接続するための入力部位をそれぞれ規定し、各信号用帯状導電体におけるその長さ方向に沿った中心点を中心とする各信号用帯状導電体の全長の３分の１の領域内に出力端子を接続するための出力部位をそれぞれ規定したことにより、各出力端子（各出力部位）よりも内周側に、接地用帯状導電体との間に帯状絶縁体を介在させた状態で各信号用帯状導電体を配設することができる。このため、各信号用帯状導電体における各出力部位よりも内周側の各部位を一方の電極とし、かつこの内周側の各部位にそれぞれ対向する接地用帯状導電体における各部位を他方の電極とする複数のコンデンサを、各出力端子（各出力部位）と接地との間に形成することができる。したがって、このフィルタ素子によれば、これらのコンデンサを介して各出力端子（各出力部位）から接地側にコモンモードノイズをバイパスさせることができる結果、出力インピーダンスの変動が大きなノイズ源の出力フィルタに使用したとしても、ノイズに対する減衰特性のばらつきの少ないコモンモード用のフィルタ素子を実現することができる。
【００５５】
この場合、ノイズ減衰特性を優れたものにするためには、コイル部は、各信号用帯状導電体に対して接地用帯状導電体が外側になるように巻回されて形成されているのが好ましく、また、各出力端子（各出力部位）は、コイル部におけるその中心を挟んで入力端子（入力部位）とは反対側に位置しているのが好ましく、さらに、接地用帯状導電体におけるコイル部の外周側に位置する端部側であって、コイル部の中心を挟んで各入力端子（各入力部位）とは反対側に位置する部位に接地用端子を接続するための接地部位が規定されているのが好ましい。
【００５６】
また、請求項１５および３５記載のフィルタ素子によれば、並設された複数の信号用帯状導電体と接地用帯状導電体とを帯状絶縁体を介して重ねた状態で巻回することによって全体として筒状に形成されたコイル部を備え、各信号用帯状導電体におけるコイル部の内周側に位置する各端部側に入力端子を接続するための入力部位をそれぞれ規定し、各信号用帯状導電体におけるその長さ方向に沿った各中心点を中心とする各信号用帯状導電体の全長の３分の１の領域内に出力端子を接続するための出力部位をそれぞれ規定したことにより、各出力端子（各出力部位）よりも外周側に、接地用帯状導電体との間に帯状絶縁体を介在させた状態で各信号用帯状導電体を配設することができる。このため、各信号用帯状導電体における各出力部位よりも外周側の各部位を一方の電極とし、かつこの外周側の各部位に対向する接地用帯状導電体における各部位を他方の電極とする複数のコンデンサを、各出力端子（各出力部位）と接地との間に形成することができる。したがって、このフィルタ素子によれば、これらのコンデンサを介して各出力端子（各出力部位）から接地側にコモンモードノイズをバイパスさせることができる結果、出力インピーダンスの変動が大きなノイズ源の出力フィルタに使用したとしても、ノイズに対する減衰特性のばらつきの少ないコモンモード用のフィルタ素子を実現することができる。
【００５７】
この場合、ノイズ減衰特性を優れたものにするためには、コイル部は、接地用帯状導電体に対して各信号用帯状導電体が外側になるように巻回されて形成されているのが好ましく、また、各出力端子（各出力部位）は、コイル部におけるその中心を挟んで各入力端子（各入力部位）とは反対側に位置しているのが好ましく、さらに、接地用帯状導電体におけるコイル部の内周側に位置する端部側であってコイル部の中心を挟んで各入力端子（各入力部位）とは反対側に位置する部位に接地用端子を接続するための接地部位が規定されているのが好ましい。
【００５８】
また、請求項１９および３９記載のフィルタ素子によれば、各信号用帯状導電体の巻数をｎとしたときに、各信号用帯状導電体におけるほぼｎ／２巻目の部位を出力部位として規定したことにより、各信号用帯状導電体についての巻数の確保と、上記のコンデンサについての容量の確保とをバランスよく実現することができる結果、ノイズに対する減衰特性のばらつきのさらに少ないコモンモード用のフィルタ素子を実現することができる。また、コイル部の製造時において、各信号用帯状導電体の巻数を目安に各出力端子を各信号用帯状導電体にそれぞれ接続することができるため、出力端子を所望の位置に確実に接続することができる。
【００５９】
また、請求項２０および４０記載のフィルタ素子によれば、各信号用帯状導電体の中心点に各出力端子を接続するための出力部位をそれぞれ規定したことにより、信号用帯状導電体についての巻数の確保と、上記のコンデンサについての容量の確保とをバランスよく実現することができる結果、ノイズに対する減衰特性のばらつきのさらに少ないコモンモード用のフィルタ素子を実現することができる。
【００６０】
また、請求項４１記載のフィルタ素子によれば、コイル部の中心部に形成された空隙に磁性体を配設したことにより、信号用帯状導電体のインダクタンスを増加させることができるため、ノイズ減衰特性の一層良好なフィルタ素子を実現することができる。
【発明を実施するための最良の形態】
【００６１】
以下、添付図面を参照して、本発明に係るフィルタ素子の最良の形態について説明する。
【００６２】
最初に、本発明に係るフィルタ素子１について、図面を参照して説明する。
【００６３】
フィルタ素子１は、図１に示すように、入力端子２、出力端子３、接地用端子４、コイル部５および柱状（一例として円柱状）の磁性コア６を備えて構成されて、分布定数型の３端子型ノイズフィルタ（低域通過型のノーマルモードフィルタ）として機能する。
【００６４】
コイル部５は、図３に示すように、帯状絶縁体５ａ，５ｂ、各帯状絶縁体５ａ，５ｂよりも幅狭に形成された接地用帯状導電体７、および接地用帯状導電体７とほぼ同じ平面形状の信号用帯状導電体８を備えている。この場合、各帯状絶縁体５ａ，５ｂは、誘電性および電気的絶縁性を有する材料（ポリイミド、ポリエチレン、絶縁紙など）を用いて、同じ幅、同じ長さで、かつ均一な厚みに構成されている。接地用帯状導電体（以下、「接地用導電体」ともいう）７は均一な厚みに形成され、その一端側（図３中の左端部側）に接地用端子４が電気的に接続されている。具体的には、接地用端子４は、接地用導電体７における巻き終わりの１ターン（最外周部。図３中の領域Ｙ）内に規定された接地部位に接続されている。また、接地用導電体７は、帯状絶縁体５ａの上に、帯状絶縁体５ａにおける幅方向の中央部に位置するようにして重ねられている。帯状絶縁体５ｂは、帯状絶縁体５ａの上に、帯状絶縁体５ａとの間で接地用導電体７を挟み込むようにして重ねられている。
【００６５】
信号用帯状導電体（以下、「信号用導電体」ともいう）８は均一な厚みに形成され、その一端側（図３中の左端部側）には入力端子２が電気的に接続されている。具体的には、入力端子２は、信号用導電体８における巻き終わりの１ターン（最外周部。図３中の領域Ｙ）内に規定された入力部位に接続されている。この場合、この入力部位は、接地用端子４の接続位置（接地部位）に対して各導電体７，８の長さ方向に沿って２分の１ターン分ずらした位置に規定されている。また、信号用導電体８の長さ方向に沿った中心点Ｗ上に出力部位が規定され、この出力部位に出力端子３が電気的に接続されている。この場合、出力端子３の接続位置（出力部位）は、中心点Ｗ上に限定されず、信号用導電体８におけるその中心点Ｗを中心とする領域（信号用導電体８の全長の３分の１の長さの領域）Ｘ内の任意の位置に規定することができる。したがって、例えば、信号用導電体８の巻数をｎターンとしたときに、信号用導電体８におけるほぼｎ／２巻（ターン）目の部位を出力部位として規定して、この部位に出力端子３を接続することもできる。このようにすることで、コイル部５の製造時において、信号用導電体８の巻数（ターン数）を目安に出力端子３を信号用導電体８に接続することができるため、出力端子３を所望の位置に確実に接続することができる。また、信号用導電体８は、帯状絶縁体５ｂの上に、帯状絶縁体５ｂにおける幅方向の中央部に位置するようにして重ねられている。つまり、各導電体７，８は、帯状絶縁体５ｂを挟んだ状態で帯状絶縁体５ａ上に重ねられている。コイル部５は、このように互いに重ねられた各帯状絶縁体５ａ，５ｂおよび各導電体７，８を、各導電体７，８の他端側（図３中の右端部側）を巻き始めとして、かつ信号用導電体８に対して接地用導電体７が外側になるように巻回することにより、全体として図１に示すように筒状（中心部に空隙Ｈが形成された円筒状）に形成されている。磁性コア６は、この空隙Ｈ内に装着されて、コイル部５の中心部に配設されている。
【００６６】
このコイル部５では、入力端子２が接続された信号用導電体８の一端側はコイル部５の外周側に位置して、入力端子２は、図１に示すように、コイル部５の一方の端面（図１中の上端面）における外周側部位（図２中の引出し部位Ａ）から引き出されている。また、出力端子３は、コイル部５の中心（中心軸Ｏ）と入力端子２の引出し部位Ａとを含む仮想平面Ｌ（以下、「平面Ｌ」ともいう）上であって、中心軸Ｏ（または空隙Ｈ、または磁性コア６）を挟んで引出し部位Ａとは反対側に位置する引出し部位Ｂから引き出されている。また、接地用端子４が接続された接地用導電体７における一端側はコイル部５の外周側に位置して、接地用端子４は、図１に示すように、コイル部５の一方の端面における外周側部位（図２中の引出し部位Ｃ）から引き出されている。具体的には、接地用端子４の引出し部位Ｃは、図２に示すように、平面Ｌ上であって、中心軸Ｏを挟んで引出し部位Ａとは反対側（言い換えれば、引出し部位Ｂを挟んで引出し部位Ａとは反対側）に規定されている。ここで、本発明における入力端子２等の「引出し部位」とは、入力端子２等がコイル部５から突出する（引き出される）コイル部５の表面における部位をいう。この場合、入力端子２、出力端子３および接地用端子４は、信号用導電体８の幅方向に沿ってコイル部５の一方の端面側に直線的に引き出されている。このため、図２に示すように、コイル部５を一方の端面から見た状態において、入力端子２の引出し部位Ａと信号用導電体８の一端側（最外周部）に規定された入力部位とはほぼ一致する。同様にして、出力端子３の引出し部位Ｂは信号用導電体８に規定された出力部位とほぼ一致し、接地用端子４の引出し部位Ｃは接地用導電体７に規定された接地部位とほぼ一致する。なお、上記した引出し部位の定義、および各引出し部位と入力部位等との位置関係については、後述するフィルタ素子１１，２１，３１についても適用される。したがって、信号用導電体８に規定された入力部位および出力部位、並びに接地用導電体７に規定された接地部位もまた、上記した各引出し部位Ａ，Ｂ，Ｃと同一の位置関係で平面Ｌ上に規定されている。
【００６７】
このフィルタ素子１によれば、信号用導電体８と接地用導電体７とを各帯状絶縁体５ａ，５ｂを介して重ねた状態で信号用導電体８に対して接地用導電体７が外側になるように巻回して形成されたコイル部５を備え、信号用導電体８におけるコイル部５の外周側に位置する端部側（最外周部）に規定された入力部位に入力端子２を接続すると共にコイル部５の外周側部位から引き出し、信号用導電体８の中心側の領域Ｘ内に規定された出力部位に出力端子３を接続してコイル部５の中心軸Ｏを挟んで入力端子２の引出し部位Ａとは反対側に位置する引出し部位Ｂから引き出し、接地用導電体７におけるコイル部５の外周側に位置する端部側（最外周部）に規定された接地部位に接地用端子４を接続すると共にコイル部５の中心軸Ｏを挟んで入力端子２の引出し部位Ａとは反対側に位置するコイル部５の外周側の引出し部位Ｃから引き出したことにより、コイル部５における出力端子３の引出し部位Ｂ（信号用導電体８における出力部位）よりも内周側に、接地用導電体７との間に帯状絶縁体５ｂを介在させた状態で信号用導電体８を配設することができる。このため、信号用導電体８における出力端子３の引出し部位Ｂよりも内周側の部位を一方の電極とし、かつこの内周側の部位に対向する接地用導電体７における部位を他方の電極とするコンデンサを、出力端子３（信号用導電体８における出力部位）と接地との間に形成することができる。したがって、このフィルタ素子１によれば、このコンデンサを介して出力端子３（信号用導電体８における出力部位）から接地側にノーマルモードノイズをバイパスさせることができる結果、出力インピーダンスの変動が大きなノイズ源の出力フィルタに使用したとしても、ノイズに対する減衰特性のばらつきの少ないノーマルモード用のフィルタ素子を実現することができる。また、このフィルタ素子１によれば、信号用導電体８の中心点Ｗを出力部位として規定してこの出力部位に出力端子３を接続したことにより、信号用導電体８についての巻数の確保と、上記のコンデンサについての容量の確保とをバランスよく実現することができる結果、ノイズに対する減衰特性のばらつきのさらに少ないノーマルモード用のフィルタ素子を実現することができる。また、磁性コア６により、信号用導電体８のインダクタンスを増加させることができるため、ノイズ減衰特性の一層良好なフィルタ素子を実現することができる。
【００６８】
次に、ネットワークアナライザ（ＡＤＶＡＮＴＥＳＴ社製  Ｒ３７６７ＣＧ）を用いて、その出力インピーダンスを５Ω、５０Ωおよび５００Ωと変化させたときのフィルタ素子１についてのノイズに対する減衰特性の変化の様子を図１３に具体的に示す。また、同様にして測定した比較例としてのフィルタ素子５１についてのノイズに対する減衰特性の変化の様子を図１４に示す。この場合、比較例としてのフィルタ素子５１は、信号用導電体と接地用導電体とを帯状絶縁体を介して重ねた状態で信号用導電体に対して接地用導電体が外側になるように巻回してコイル部５５を形成し、図１６に示すように、信号用導電体におけるコイル部５５の外周側に位置する端部側（最外周部）に規定した入力部位に入力端子２を接続すると共にコイル部５５の外周側部位から引き出し、信号用導電体におけるコイル部５５の内周側に位置する端部側（信号用導電体における巻き始めの１ターン（最内周部））に規定した出力部位に出力端子３を接続してコイル部５５の中心軸Ｏを挟んで入力端子２の引出し部位とは反対側に位置する引出し部位から引き出し、接地用導電体におけるコイル部５５の外周側に位置する端部側（最外周部）に規定した接地部位に接地用端子４を接続すると共に出力端子３の引出し部位を挟んで入力端子２の引出し部位とは反対側に位置するコイル部５５の外周側の引出し部位から引き出して構成されている。また、フィルタ素子１では、入力端子２と出力端子３とで挟まれた信号用導電体８の巻数は、７ターンに規定されている。一方、比較例としてのフィルタ素子５１でも、入力端子２と出力端子３とで挟まれた信号用導電体の巻数は、７ターンに規定されている。
【００６９】
図１３，１４によれば、ネットワークアナライザの出力インピーダンスを５Ω、５０Ωおよび５００Ωというように変化させたときのフィルタ素子１についての周波数毎の減衰量のバラツキ（減衰特性のバラツキ）は、フィルタ素子５１についての周波数毎の減衰量のバラツキよりも、明らかに少ないことが確認できる。
【００７０】
次に、本発明に係るフィルタ素子１１の構成について図４〜図６を参照して説明する。なお、フィルタ素子１と同一の構成については同一の符号を付して、重複する説明を省略する。
【００７１】
フィルタ素子１１は、図４に示すように、入力端子２、出力端子３、接地用端子４、コイル部１５および磁性コア６を備えて構成されて、分布定数型の３端子型ノイズフィルタ（低域通過型のノーマルモードフィルタ）として機能する。
【００７２】
コイル部１５は、図６に示すように、帯状絶縁体５ａ，５ｂ、接地用帯状導電体７および信号用帯状導電体８を備えている。この場合、信号用導電体８の他端側（図６中の右端部側）には、入力端子２が電気的に接続されている。具体的には、入力端子２は、信号用導電体８における巻き始めの１ターン（最内周部。図６中の領域Ｙ）内に規定された入力部位に接続されている。出力端子３は、信号用導電体８の領域Ｘ内に規定された出力部位（具体的には中心点Ｗ上）に電気的に接続されている。この場合、出力端子３の接続位置（出力部位）は、フィルタ素子１と同様にして、中心点Ｗ上に限定されず、信号用導電体８におけるその中心点Ｗを中心とする領域Ｘ内の任意の位置に規定することができる。信号用導電体８は、帯状絶縁体５ａの上に、帯状絶縁体５ａにおける幅方向の中央部に位置するようにして重ねられている。帯状絶縁体５ｂは、帯状絶縁体５ａの上に、信号用導電体８を帯状絶縁体５ａとの間で挟み込むようにして重ねられている。接地用導電体７の他端側（図６中の右端部側）には、接地用端子４が電気的に接続されている。具体的には、接地用端子４は、接地用導電体７における巻き始めの１ターン（最内周部。図６中の領域Ｙ）内に規定された接地部位に接続されている。この場合、接地用端子４の接続位置（接地部位）は、入力端子２の接続位置（入力部位）に対して各導電体７，８の長さ方向に沿って２分の１ターン分ずらして規定されている。また、接地用導電体７は、帯状絶縁体５ｂの上に、帯状絶縁体５ｂにおける幅方向の中央部に位置するようにして重ねられている。つまり、各導電体７，８は、帯状絶縁体５ｂを挟んだ状態で帯状絶縁体５ａ上に重ねられている。コイル部１５は、このように互いに重ねられた各帯状絶縁体５ａ，５ｂおよび各導電体７，８を、各導電体７，８の他端側（図６中の右端部側）を巻き始めとして、かつ接地用導電体７に対して信号用導電体８が外側になるように巻回することにより、全体として図４に示すように筒状（中心部に空隙Ｈが形成された円筒状）に形成されている。磁性コア６は、この空隙Ｈ内に装着されて、コイル部１５の中心部に配設されている。
【００７３】
このコイル部１５では、入力端子２が接続された信号用導電体８の他端側はコイル部１５の内周側に位置して、入力端子２は、図４に示すように、コイル部１５の一方の端面（図４中の上端面）における内周側部位（図５中の引出し部位Ａ）から引き出されている。また、接地用端子４が接続された接地用導電体７における他端側はコイル部１５の内周側に位置して、接地用端子４は、図４に示すように、コイル部１５の一方の端面における内周側部位（図５中の引出し部位Ｃ）から引き出されている。ここで、接地用端子４の引出し部位Ｃは、図５に示すように、コイル部１５の中心軸Ｏと入力端子２の引出し部位Ａとを含む平面Ｌ上であって、中心軸Ｏ（または空隙Ｈ、または磁性コア６）を挟んで入力端子２の引出し部位Ａとは反対側に規定されている。また、出力端子３は、コイル部１５の中心軸Ｏと入力端子２の引出し部位Ａとを含む平面Ｌ上であって、コイル部１５におけるその中心（中心軸Ｏ）を挟んで入力端子２の引出し部位Ａとは反対側（言い換えれば、接地用端子４の引出し部位Ｃを挟んで入力端子２の引出し部位Ａとは反対側）に位置する引出し部位Ｂから引き出されている。
【００７４】
このフィルタ素子１１によれば、信号用導電体８と接地用導電体７とを各帯状絶縁体５ａ，５ｂを介して重ねた状態で接地用導電体７に対して信号用導電体８が外側になるように巻回して形成されたコイル部１５を備え、信号用導電体８におけるコイル部１５の内周側に位置する端部側（最内周部）に規定された入力部位に入力端子２を接続すると共にコイル部１５の内周側部位から引き出し、接地用導電体７におけるコイル部１５の内周側に位置する端部側（最内周部）に規定された接地部位に接地用端子４を接続すると共にコイル部１５の中心軸Ｏを挟んで入力端子２の引出し部位Ａとは反対側に位置するコイル部１５の内周側部位（引出し部位）Ｃから引き出し、信号用導電体８の中心側の領域Ｘ内に規定された出力部位に出力端子３を接続してコイル部１５の中心軸Ｏを挟んで入力端子２の引出し部位Ａとは反対側に位置する引出し部位Ｂから引き出したことにより、コイル部１５における出力端子３の引出し部位Ｂ（信号用導電体８における出力部位）よりも外周側に、接地用導電体７との間に帯状絶縁体５ｂを介在させた状態で信号用導電体８を配設することができる。このため、信号用導電体８における出力端子３の引出し部位Ｂよりも外周側の部位を一方の電極とし、かつこの外周側の部位に対向する接地用導電体７における部位を他方の電極とするコンデンサを、出力端子３（信号用導電体８における出力部位）と接地との間に形成することができる。したがって、このフィルタ素子１１によれば、このコンデンサを介して出力端子３（信号用導電体８における出力部位）から接地側にノーマルモードノイズをバイパスさせることができる結果、出力インピーダンスの変動が大きなノイズ源の出力フィルタに使用したとしても、ノイズに対する減衰特性のばらつきの少ないノーマルモード用のフィルタ素子を実現することができる。また、このフィルタ素子１１によれば、信号用導電体８の中心点Ｗを出力部位として規定してこの出力部位に出力端子３を接続したことにより、信号用導電体８についての巻数の確保と、上記のコンデンサについての容量の確保とをバランスよく実現することができる結果、ノイズに対する減衰特性のばらつきのさらに少ないノーマルモード用のフィルタ素子を実現することができる。
【００７５】
次に、本発明に係るフィルタ素子２１について、図面を参照して説明する。
【００７６】
まず、フィルタ素子２１の構成について説明する。なお、このフィルタ素子２１は、ノーマルモードフィルタとして機能するフィルタ素子１の信号用導電体８についての構成を変更することにより、コモンモードフィルタとして構成されている。このため、殆どの構成要素はフィルタ素子１の対応する構成要素と共通する。したがって、フィルタ素子１と同一の構成については同一の符号を付して、重複する説明を省略する。
【００７７】
フィルタ素子２１は、図７に示すように、一対の入力端子２ａ，２ｂ（以下、区別しないときには「入力端子２」ともいう）、一対の出力端子３ａ，３ｂ（以下、区別しないときには「出力端子３」ともいう）、一対の接地用端子４ａ，４ｂ（以下、区別しないときには「接地用端子４」ともいう）、コイル部２５および円柱状の磁性コア６を備えて構成されて、分布定数型のコモンモードノイズフィルタ（低域通過型フィルタ）として機能する。
【００７８】
コイル部２５は、図９に示すように、帯状絶縁体５ａ，５ｂ、一対の接地用導電体７ａ，７ｂ（以下、特に区別しないときは「接地用導電体７」ともいう）、および一対の信号用導電体８ａ，８ｂ（以下、特に区別しないときは「信号用導電体８」ともいう）を備えている。この場合、各接地用導電体７ａ，７ｂは、その一端側（図９中の左端部側）に接地用端子４ａ，４ｂが電気的にそれぞれ接続されている。具体的には、各接地用端子４は、各接地用導電体７における巻き終わりの１ターン（最外周部。図９中の領域Ｙ）内に規定された接地部位にそれぞれ接続されている。また、各接地用導電体７ａ，７ｂは、同じ幅に形成されると共に、互いに接触しないようにして平行な状態で帯状絶縁体５ａの上に重ねられている。帯状絶縁体５ｂは、帯状絶縁体５ａの上に、帯状絶縁体５ａとの間で各接地用導電体７を挟み込むようにして重ねられている。信号用導電体８ａ，８ｂは、同じ幅に形成されると共に、互いに接触しないようにして平行な状態で帯状絶縁体５ｂ上に載置されている。つまり、各導電体７，８は、帯状絶縁体５ｂを挟んだ状態で帯状絶縁体５ａ上に重ねられている。また、各信号用導電体８ａ，８ｂの各々の一端側（図９中の左端部側）には、入力端子２ａ，２ｂが電気的にそれぞれ接続されている。具体的には、各入力端子２は、各信号用導電体８における巻き終わりの１ターン（最外周部。図９中の領域Ｙ）内に規定された入力部位にそれぞれ接続されている。また、各信号用導電体８ａ，８ｂのそれぞれの長さ方向に沿った中心点Ｗを中心とする領域（各信号用導電体８ａ，８ｂの全長の３分の１の領域）Ｘ内にそれぞれ規定された出力部位には、出力端子３ａ，３ｂがそれぞれ接続されている。この場合、各出力端子３ａ，３ｂの各信号用導電体８ａ，８ｂへの接続位置（出力部位）は、フィルタ素子１における出力端子３の信号用導電体８への接続位置（出力部位）の場合と同様にして、中心点Ｗ上に限定されず、信号用導電体８ａ，８ｂにおけるその中心点Ｗを中心とする領域Ｘ内の任意の位置に規定することができる。コイル部２５は、このように互いに重ねられた各帯状絶縁体５ａ，５ｂ、および各導電体７，８ａ，８ｂを、それぞれの他端側を巻き始めとして、かつ信号用導電体８ａ，８ｂに対して各接地用導電体７が外側になるように巻回することにより、全体として図７に示すように筒状（中心部に空隙Ｈが形成された円筒状）に形成されている。また、コイル部２５の空隙Ｈ内には、磁性コア６が装着されている。
【００７９】
このコイル部２５では、各入力端子２ａ，２ｂが接続された各信号用導電体８ａ，８ｂにおける各々の一端側はコイル部２５の外周側に位置して、各入力端子２ａ，２ｂは、図７に示すように、コイル部２５の一方の端面における外周側部位（図８中の引出し部位Ａ）から引き出されている。各出力端子３ａ，３ｂは、コイル部２５の中心（中心軸Ｏ）と入力端子２の引出し部位Ａとを含む平面Ｌ上であって、中心軸Ｏ（または空隙Ｈ、または磁性コア６）を挟んで引出し部位Ａとは反対側に位置する引出し部位Ｂから引き出されている。各接地用端子４が接続された各接地用導電体７における一端側はコイル部２５の外周側に位置して、各接地用端子４は、図７に示すように、コイル部２５の一方の端面における外周側部位（図８中の引出し部位Ｃ）からそれぞれ引き出されている。具体的には、各接地用端子４の引出し部位Ｃは、図８に示すように、平面Ｌ上であって、コイル部２５の中心軸Ｏを挟んで引出し部位Ａとは反対側（言い換えれば、引出し部位Ｂを挟んで引出し部位Ａとは反対側）にそれぞれ規定されている。
【００８０】
このフィルタ素子２１では、並設された２本の信号用導電体８ａ，８ｂと２本の接地用導電体７ａ，７ｂとを帯状絶縁体５ｂを介して重ねた状態で各信号用導電体８ａ，８ｂに対して各接地用導電体７が外側になるように巻回することによって形成されたコイル部２５を備え、各信号用導電体８ａ，８ｂにおけるコイル部２５の外周側に位置する各端部側（最外周部）にそれぞれ規定された入力部位に入力端子２ａ，２ｂを接続してコイル部２５の外周側部位からそれぞれ引き出し、各信号用導電体８ａ，８ｂの中央側の領域Ｘ内にそれぞれ規定された出力部位に各出力端子３ａ，３ｂを接続してコイル部２５の中心軸Ｏを挟んで各入力端子２ａ，２ｂの引出し部位Ａとは反対側に位置する引出し部位Ｂからそれぞれ引き出し、各接地用導電体７におけるコイル部２５の外周側に位置する端部側（最外周部）にそれぞれ規定された接地部位に各接地用端子４をそれぞれ接続してコイル部２５の中心軸Ｏを挟んで各入力端子２ａ，２ｂの引出し部位Ａとは反対側に位置するコイル部２５の外周側部位からそれぞれ引き出したことにより、コイル部２５における出力端子３ａ，３ｂの引出し部位Ｂ（各信号用導電体８における出力部位）よりも内周側に、各接地用導電体７との間に帯状絶縁体５ｂを介在させた状態で各信号用導電体８ａ，８ｂを配設することができる。このため、信号用導電体８ａにおける出力端子３ａの引出し部位Ｂよりも内周側の部位を一方の電極とし、かつこの内周側の部位に対向する各接地用導電体７における部位を他方の電極とするコンデンサと、信号用導電体８ｂにおける出力端子３ｂの引出し部位Ｂよりも内周側の部位を一方の電極とし、かつこの内周側の部位に対向する各接地用導電体７における部位を他方の電極とするコンデンサとを、各出力端子３ａ，３ｂ（各信号用導電体８における出力部位）と接地との間に形成することができる。
【００８１】
したがって、このフィルタ素子２１によれば、入力端子２ａから信号用導電体８ａを経由して出力端子３ａに至る経路と、入力端子２ｂから信号用導電体８ｂを経由して出力端子３ｂに至る経路の双方を同時に伝搬するコモンモードノイズを、各出力端子３ａ，３ｂ側に形成された上記の各コンデンサを介して接地側にバイパスさせることができる結果、フィルタ素子１がノーマルモードノイズに対する減衰特性のばらつきを少なくできるのと同様にして、コモンモードノイズに関して出力インピーダンスの変動が大きなノイズ源の出力フィルタに使用したとしても、ノイズに対する減衰特性のばらつきの少ないコモンモード用のフィルタ素子を実現することができる。また、このフィルタ素子２１によれば、各信号用導電体８ａ，８ｂの中心点Ｗを出力部位として規定してこの出力部位に出力端子３ａ，３ｂを接続したことにより、信号用導電体８ａ，８ｂについての巻数の確保と、上記のコンデンサについての容量の確保とをバランスよく実現することができる結果、ノイズに対する減衰特性のばらつきのさらに少ないコモンモード用のフィルタ素子を実現することができる。
【００８２】
次に、本発明に係るフィルタ素子３１について、図面を参照して説明する。
【００８３】
まず、フィルタ素子３１の構成について説明する。なお、このフィルタ素子３１は、ノーマルモードフィルタとして機能するフィルタ素子１１の信号用導電体８についての構成を変更することにより、コモンモードフィルタとして構成されている。このため、殆どの構成要素はフィルタ素子１１の対応する構成要素と共通する。したがって、フィルタ素子１１と同一の構成については同一の符号を付して、重複する説明を省略する。
【００８４】
フィルタ素子３１は、図１０に示すように、一対の入力端子２（２ａ，２ｂ）、一対の出力端子３（３ａ，３ｂ）、一対の接地用端子４（４ａ，４ｂ）、コイル部３５および磁性コア６を備えて構成されて、分布定数型のコモンモードノイズフィルタ（低域通過型フィルタ）として機能する。
【００８５】
コイル部３５は、図１２に示すように、帯状絶縁体５ａ，５ｂ、各接地用導電体７および一対の信号用導電体８（８ａ，８ｂ）を備えている。この場合、各信号用導電体８ａ，８ｂは、同じ幅に形成されると共に、互いに接触しないようにして平行な状態で帯状絶縁体５ａの上に載置されている。また、各信号用導電体８ａ，８ｂ各々の他端側（図１２中の右端部側）には、各入力端子２ａ，２ｂが電気的にそれぞれ接続されている。具体的には、各入力端子２は、各信号用導電体８における巻き始めの１ターン（最内周部。図１２中の領域Ｙ）内に規定された入力部位にそれぞれ接続されている。また、各信号用導電体８ａ，８ｂのそれぞれの長さ方向に沿った中心点Ｗを中心とする領域（各信号用導電体８ａ，８ｂの全長の３分の１の領域）Ｘ内にそれぞれ規定された出力部位には、出力端子３ａ，３ｂがそれぞれ接続されている。この場合、各出力端子３ａ，３ｂの各信号用導電体８ａ，８ｂへの接続位置（出力部位）は、フィルタ素子１１における出力端子３の信号用導電体８への接続位置（出力部位）の場合と同様にして、中心点Ｗ上に限定されず、信号用導電体８ａ，８ｂにおけるその中心点Ｗを中心とする領域Ｘ内の任意の位置に規定することができる。帯状絶縁体５ｂは、各信号用導電体８ａ，８ｂの上に、各信号用導電体８ａ，８ｂを帯状絶縁体５ａとの間で挟み込むようにして重ねられている。各接地用導電体７の他端側（図１２中の右端部側）には、各接地用端子４が電気的にそれぞれ接続されている。具体的には、各接地用端子４は、各接地用導電体７における巻き始めの１ターン（最内周部。図１２中の領域Ｙ）内に規定された接地部位にそれぞれ接続されている。また、各接地用導電体７ａ，７ｂは、同じ幅に形成されると共に、互いに接触しないようにして平行な状態で帯状絶縁体５ｂの上に重ねられている。つまり、各導電体７ａ，７ｂと各導電体８ａ，８ｂとは、帯状絶縁体５ｂを挟んだ状態で帯状絶縁体５ａ上に重ねられている。コイル部３５は、このように互いに重ねられた各帯状絶縁体５ａ，５ｂ、および各導電体７ａ，７ｂ，８ａ，８ｂを、各導電体７ａ，７ｂ，８ａ，８ｂの他端側を巻き始めとして、かつ各接地用導電体７に対して信号用導電体８ａ，８ｂが外側になるように巻回することにより、全体として図１０に示すように筒状（中心部に空隙Ｈが形成された円筒状）に形成されている。また、コイル部３５の空隙Ｈ内には、磁性コア６が装着されている。
【００８６】
このコイル部３５では、各入力端子２ａ，２ｂがそれぞれ接続された各信号用導電体８ａ，８ｂの他端側はコイル部３５の内周側に位置して、各入力端子２ａ，２ｂは、図１０に示すように、コイル部３５の一方の端面（図１０中の上端面）における内周側部位（図１１中の引出し部位Ａ）から引き出されている。また、各接地用端子４が接続された各接地用導電体７における他端側はコイル部３５の内周側に位置して、各接地用端子４は、図１０に示すように、コイル部３５の一方の端面における内周側部位（図１１中の引出し部位Ｃ）からそれぞれ引き出されている。ここで、各接地用端子４の引出し部位Ｃは、図１１に示すように、コイル部３５の中心（中心軸Ｏ）と各入力端子２ａ，２ｂの引出し部位Ａとを含む平面Ｌ上であって、中心軸Ｏ（または空隙Ｈ、または磁性コア６）を挟んで各入力端子２ａ，２ｂの引出し部位Ａとは反対側にそれぞれ規定されている。各出力端子３ａ，３ｂは、コイル部３５の中心軸Ｏと各入力端子２ａ，２ｂの引出し部位Ａとを含む平面Ｌ上であって、コイル部３５の中心軸Ｏを挟んで引出し部位Ａとは反対側（言い換えれば、引出し部位Ｃを挟んで引出し部位Ａとは反対側）に位置する引出し部位Ｂから引き出されている。
【００８７】
このフィルタ素子３１では、並設された２本の信号用導電体８ａ，８ｂと２本の接地用導電体７ａ，７ｂとを帯状絶縁体５ｂを介して重ねた状態で各接地用導電体７に対して各信号用導電体８ａ，８ｂが外側になるように巻回することによって形成されたコイル部３５を備え、各信号用導電体８ａ，８ｂにおけるコイル部３５の内周側に位置する各端部側（最内周部）にそれぞれ規定された入力部位に入力端子２ａ，２ｂを接続してコイル部３５の内周側部位からそれぞれ引き出し、各接地用導電体７におけるコイル部３５の内周側に位置する端部側（最内周部）に規定された接地部位に各接地用端子４をそれぞれ接続してコイル部３５の中心軸Ｏを挟んで各入力端子２ａ，２ｂの引出し部位Ａとは反対側に位置するコイル部３５の内周側部位からそれぞれ引き出し、各信号用導電体８ａ，８ｂの中央側の領域Ｘ内にそれぞれ規定された出力部位に各出力端子３ａ，３ｂを接続してコイル部３５の中心軸Ｏを挟んで各入力端子２ａ，２ｂの引出し部位Ａとは反対側に位置する引出し部位Ｂからそれぞれ引き出したことにより、コイル部３５における出力端子３ａ，３ｂの引出し部位Ｂ（各信号用導電体８における出力部位）よりも外周側に、各接地用導電体７との間に帯状絶縁体５ｂを介在させた状態で各信号用導電体８ａ，８ｂを配設することができる。このため、信号用導電体８ａにおける出力端子３ａの引出し部位Ｂよりも外周側の部位を一方の電極とし、かつこの外周側の部位に対向する各接地用導電体７における部位を他方の電極とするコンデンサと、信号用導電体８ｂにおける出力端子３ｂの引出し部位Ｂよりも外周側の部位を一方の電極とし、かつこの部位に対向する各接地用導電体７における部位を他方の電極とするコンデンサとを、各出力端子３ａ，３ｂ（各信号用導電体８における出力部位）と接地との間に形成することができる。
【００８８】
したがって、このフィルタ素子３１によれば、入力端子２ａから信号用導電体８ａを経由して出力端子３ａに至る経路と、入力端子２ｂから信号用導電体８ｂを経由して出力端子３ｂに至る経路の双方を同時に伝搬するコモンモードノイズを、各出力端子３ａ，３ｂ側に形成された上記の各コンデンサを介して接地側にバイパスさせることができる結果、コモンモードノイズに関して、ノーマルモードノイズに対してフィルタ素子１１がノイズに対する減衰特性のばらつきを少なくできるのと同様にして、出力インピーダンスの変動が大きなノイズ源の出力フィルタに使用したとしても、ノイズに対する減衰特性のばらつきの少ないコモンモード用のフィルタ素子を実現することができる。また、このフィルタ素子３１によれば、各信号用導電体８ａ，８ｂの中心点Ｗを出力部位として規定してこの出力部位に出力端子３ａ，３ｂを接続したことにより、信号用導電体８ａ，８ｂについての巻数の確保と、上記のコンデンサについての容量の確保とをバランスよく実現することができる結果、ノイズに対する減衰特性のばらつきのさらに少ないコモンモード用のフィルタ素子を実現することができる。
【００８９】
なお、本発明は、上記した実施の形態に限定されない。例えば、上述した各フィルタ素子１，１１，２１，３１では、コイル部５，１５，２５，３５に形成された空隙Ｈの内部に磁性コア６を装着して各接地用導電体７および信号用導電体８の結合度合いや分布インダクタンスの値を向上させることによって減衰特性を向上させているが、磁性コア６に代えてポットコア内にコイル部５，１５，２５，３５を装着することもできる。また、磁性コア６およびポットコアを用いずに、空芯コイルとしてコイル部５，１５，２５，３５を形成することもできる。
【００９０】
また、上記した各フィルタ素子１，１１，２１，３１では、入力端子２、出力端子３および接地用端子４を、コイル部の同一端面（図１では上端面）にのみ配設する構成が採用されているが、入力端子２、出力端子３および接地用端子４は、コイル部の中心軸Ｏを含む平面Ｌ上に配設されていればよく、入力端子２、出力端子３および接地用端子４の内の一部の端子を他の端子とは逆の端面（図１では下端面）に配設する構成を採用することもできる。また、上記した各フィルタ素子１，１１，２１，３１では、入力端子２、出力端子３および接地用端子４を、コイル部の中心軸Ｏを含む平面Ｌ上に配設する構成が採用されているが、すべての端子が平面Ｌ上に厳密には配設されずに、平面Ｌから若干ずれた位置に各端子が配置されていてもよい。また、フィルタ素子２１，３１では、一対の信号用導電体８ａ，８ｂを備えてコモンモードフィルタとして機能する構成が採用されているが、３本以上の信号用導電体を備えて構成することもできる。また、フィルタ素子２１，３１では、複数の信号用導電体８に対して、信号用導電体８毎に独立した接地用導電体７をそれぞれ配設する構成が採用されているが、複数の信号用導電体に対して１つの共通する接地用導電体を配設する構成を採用することもできる。
【００９１】
また、上記した各フィルタ素子１，１１，２１，３１では、帯状絶縁体５ａが最も外側になるように各コイル部５，１５，２５，３５を形成したが、信号用導電体８に対して接地用導電体７が外側に位置するコイル部５，２５を備えたフィルタ素子１，２１については、帯状絶縁体５ａを信号用導電体８の内側に配設することにより、接地用導電体７の最外周部がコイル部の最外周に位置するように構成することもできる。このようにして構成したフィルタ素子によれば、コイル部の最外周に接地用導電体７の最外周部が露出するため、例えば接地用導電体７をプリント基板のグランド電位に直接接続することで確実かつ容易に接地することが可能となる。一例として、図１５に示すフィルタ素子４１は、フィルタ素子１のコイル部５をベースとして、接地用導電体７が最外周に位置するように構成されたコイル部４５を備えて構成されている。また、図示はしないが、接地用導電体７に対して信号用導電体８が外側に位置するコイル部１５，３５を備えたフィルタ素子１１，３１をベースとして、帯状絶縁体５ａを接地用導電体７の内側に配設することにより、信号用導電体８の最外周部がコイル部の最外周に位置するフィルタ素子を構成することもできる。
【図面の簡単な説明】
【００９２】
【図１】フィルタ素子１の構成を示す斜視図である。
【図２】入力端子２、出力端子３および接地用端子４の各引出し部位Ａ，Ｂ，Ｃを示すフィルタ素子１を一方の端面から見た平面図である。
【図３】フィルタ素子１における帯状絶縁体５ａ，５ｂ、接地用導電体７および信号用導電体８の分解図である。
【図４】フィルタ素子１１の構成を示す斜視図である。
【図５】入力端子２、出力端子３および接地用端子４の各引出し部位Ａ，Ｂ，Ｃを示すフィルタ素子１１を一方の端面から見た平面図である。
【図６】フィルタ素子１１における帯状絶縁体５ａ，５ｂ、接地用導電体７および信号用導電体８の分解図である。
【図７】フィルタ素子２１の構成を示す斜視図である。
【図８】入力端子２ａ，２ｂ、出力端子３ａ，３ｂおよび接地用端子４ａ，４ｂの各引出し部位Ａ，Ｂ，Ｃを示すフィルタ素子２１を一方の端面から見た平面図である。
【図９】フィルタ素子２１における帯状絶縁体５ａ，５ｂ、接地用導電体７ａ，７ｂおよび信号用導電体８ａ，８ｂの分解図である。
【図１０】フィルタ素子３１の構成を示す斜視図である。
【図１１】入力端子２ａ，２ｂ、出力端子３ａ，３ｂおよび接地用端子４ａ，４ｂの各引出し部位Ａ，Ｂ，Ｃを示すフィルタ素子３１を一方の端面から見た平面図である。
【図１２】フィルタ素子３１における帯状絶縁体５ａ，５ｂ、接地用導電体７ａ，７ｂおよび信号用導電体８ａ，８ｂの分解図である。
【図１３】フィルタ素子１の周波数と減衰量との関係を示す減衰特性図である。
【図１４】フィルタ素子５１の周波数と減衰量との関係を示す減衰特性図である。
【図１５】フィルタ素子４１の構成を示す斜視図である。
【図１６】フィルタ素子５１の構成を示す斜視図である。
【符号の説明】
【００９３】
１，１１，２１，３１，４１  フィルタ素子
２  入力端子
３  出力端子
４  接地用端子
５，１５，２５，３５，４５  コイル部
５ａ，５ｂ  帯状絶縁体
６  磁性コア
７，７ａ，７ｂ  接地用導電体
８，８ａ，８ｂ  信号用導電体
Ｈ  空隙
【図１】
2006050576.tif 000003
【図２】
2006050576.tif 000004
【図３】
2006050576.tif 000005
【図４】
2006050576.tif 000006
【図５】
2006050576.tif 000007
【図６】
2006050576.tif 000008
【図７】
2006050576.tif 000009
【図８】
2006050576.tif 000010
【図９】
2006050576.tif 000011
【図１０】
2006050576.tif 000012
【図１１】
2006050576.tif 000013
【図１２】
2006050576.tif 000014
【図１３】
2006050576.tif 000015
【図１４】
2006050576.tif 000016
【図１５】
2006050576.tif 000017
【図１６】
2006050576.tif 000018